(57)【特許請求の範囲】
【請求項１】
少なくとも表層が紙で構成された紙管からなり、その管端部表面に周方向に延びる糸把持用スリット溝を設けた糸巻き用ボビンをボビンホルダーに支持し、該糸巻き用ボビンの前記スリット溝の位置を検出する検知器を配置し、該検知器の検出値に基づきボビンの軸方向に弾性的に支持された刃状物および前記糸巻き用ボビンの少なくとも一方を移動して該刃状物と前記スリット溝とを互いに対向させた後、該刃状物を前記スリット溝に押圧挿入してその溝幅を、該スリット溝の長手方向全長の少なくとも２０％を拡幅処理することを特徴とする糸巻き用ボビンの処理方法。
【請求項２】
いったん糸巻きが行なわれ、その糸が使用された後に、その糸巻き用ボビンを再生使用に提供するに際して、請求項１記載の糸巻き用ボビンの処理を行うことを特徴とする糸巻き用ボビンの処理方法。
【請求項３】
新品の糸巻き用ボビンを使用するに際して、該初めての使用に先立ち、請求項１記載の糸巻き用ボビンの処理を行うことを特徴とする糸巻き用ボビンの処理方法。
【請求項４】
少なくとも表層が紙で構成された紙管からなり、その管端部表面に周方向に延びる糸把持用スリット溝を設けた糸巻用ボビンを支持するボビンホルダーを設け、該ボビンホルダー上の糸巻き用ボビンの前記スリット溝を検出する検知器とボビンの軸方向に弾性的に支持された刃状物とを配置し、該検出器の検出信号により前記刃状物およびボビンホルダーの少なくとも一方を該刃状物と前記スリット溝とを互いに対向させる位置に移動すると共に、該刃状物と前記スリット溝に押圧挿入する制御部を設けたことを特徴とする糸巻き用ボビンの処理装置。
【請求項５】
前記ボビンホルダーに、前記糸巻き用ボビンのスリット溝側の管端面を規制する当接面を設けたことを特徴とする請求項４記載の糸巻用ボビンの処理装置。
【発明の詳細な説明】
【０００１】
【産業上の利用分野】
本発明は、糸の切替え成功率を向上させる糸巻き用ボビンのスリット溝の処理方法と、糸の切替え成功率を向上させる糸巻き用ボビンのスリット溝の処理装置に関する。
【０００２】
より具体的には、紙管を用いて形成されている糸巻き用ボビンを、より高い糸の切替え成功率にて、使用することを可能にする糸巻き用ボビンの処理方法および処理装置に関するものである。
【０００３】
本発明の方法は、糸巻き用ボビンの糸把持用のスリット溝に対して、後述する該スリット幅の幅を広げる処理をするものであり、また、本発明の装置は、該処理をする装置に関するものである。
【０００４】
本発明の方法と装置は、次の２つの場合に使用できるものである。
【０００５】
すなわち、第一に、いったん糸巻きが行なわれ、その糸が使用された後に、空の該糸巻き用ボビンを再生使用して、再度の使用（リサイクル使用）を可能にする技術として使用することができる。
【０００６】
あるいはまた、第二に、新品の糸巻き用ボビンを使用するに際して、該初めての使用に先立ち、該ボビンの糸の切替え成功率を向上させておくための技術として使用することができる。
【０００７】
いずれの場合においても、本発明の処理を受けた糸巻き用ボビンは、糸の切替え時の切替え成功率が、本発明の処理を受けていない糸巻き用ボビンを使用した場合と比較して、より高い率を実現できるものである。
【０００８】
【従来の技術】
一般に、繊維製造工程の糸条の巻取り用ボビンには、紙管を用いて形成されているものが多い。
【０００９】
このような紙管から形成された糸巻き用ボビンに巻取られた糸条が、製織や製編などの工程で消費された後は、空になったボビンは、リサイクル使用に提供されることなく、廃棄されることが多かった。
【００１０】
しかし、近年、地球資源保護や地球環境保護が強く叫ばれるようになるに至って、使用済みの糸巻き用ボビンをただワンウェイで大量に廃棄してしまうことは地球資源を無駄にし、また、環境破壊を増大させる原因になり、かつ繊維生産におけるコストアップの要因にもなっていると言える。
【００１１】
このような観点から、使用済みの紙管を使い捨てにすることなく、再びリサイクル使用することが真剣に検討され始めている。
【００１２】
しかるに、糸条巻取機で糸条をボビンに巻き上げるには、ボビンに対する最初の糸掛けが円滑に行われるようになっていることが重要である。
【００１３】
一般に、このような糸掛けが円滑に行えるようにするため、ボビンの端部表面には糸把持用のスリット溝が周方向に延長するように設けられている。
【００１４】
しかしながら、紙管から形成されるボビンの場合には、上記のように管端部表面に設けた糸把持用スリット溝が、主として紙管が持つ吸湿作用によって経時的に閉塞するという傾向があるため、リサイクル使用に提供しようとしても、該ボビンは、該スリット溝に糸条が入り込み難く、糸掛け性（糸掛け成功率あるいは糸切替え成功率）が著しく悪くなり、それによって繊維の生産性を低下させる原因になっていた。
【００１５】
すなわち、かかる該糸把持用スリット溝の閉塞現象が、糸巻き用ボビンのリサイクル使用の実用化を妨げる原因になっていたのである。
【００１６】
このような糸把持用スリット溝の閉塞現象は、やはり吸湿作用により、使用済みのボビンのみならず、新品のボビンにも見られることがあり、そのような閉塞現象が生ずると、新品ボビンを使用した糸掛け性（糸掛け成功率あるいは糸切替え成功率）においてすら、その成功率を低くさせる要因となっていた。
【００１７】
【発明が解決しようとする課題】
本発明の目的は、第一には、いったん糸巻きが行なわれ、その糸が使用された後に、空の該糸巻き用ボビンを再生して、再度の使用（リサイクル使用）を可能にする技術として使用することができる、糸の切替え成功率を向上させる糸巻き用ボビンの処理方法を提供することにある。また、該方法を実施するに好適な糸巻き用ボビンの処理装置を提供することにある。
【００１８】
あるいはまた、第二に、新品の糸巻き用ボビンを使用するに際して、該ボビンの初めての使用に先立ち、該ボビンの糸の切替え成功率を向上させるために、予め該ボビンを処理する技術として使用することのできる、糸の切替え成功率を向上させる糸巻き用ボビンの処理方法を提供することにある。また、該方法を実施するに好適な糸巻き用ボビンの処理装置を提供することにある。
【００１９】
なお、上述のスリット溝の閉塞現象は、新品ボビンに比較して、使用済みの糸巻き用ボビンにおいて、より顕著に生ずるものであるから、本発明の方法は、使用済みの糸巻きボビンの再生使用を可能にさせる目的で用いる場合が、より効果的なものである。
【００２０】
【課題を解決するための手段】
上述の目的を達成する本発明の糸巻き用ボビンの処理方法は、少なくとも表層が紙で構成された紙管からなり、その管端部表面に周方向に延びる糸把持用スリット溝を設けた糸巻き用ボビンをボビンホルダーに支持し、該糸巻き用ボビンの前記スリット溝の位置を検出する検知器を配置し、該検知器の検出値に基づきボビンの軸方向に弾性的に支持された刃状物および前記糸巻き用ボビンの少なくとも一方を移動して該刃状物と前記スリット溝とを互いに対向させた後、該刃状物を前記スリット溝に押圧挿入してその溝幅を該スリット溝の長手方向全長の少なくとも２０％を拡幅処理することを特徴とするものである。
【００２１】
このように糸巻き用ボビンを初めて使用するに先だって、あるいは、リサイクル使用をするに先立って、糸把持用スリット溝の長手方向の、２０％以上、好ましくは３５％以上に、刃状物を押圧挿入して押し広げて、閉塞したスリット溝を拡幅修正することにより、該ボビン使用時の糸掛け成功率を高率にすることができる。
【００２２】
また、本発明の糸巻き用ボビンの処理装置は、少なくとも表層が紙で構成された紙管からなり、その管端部表面に周方向に延びる糸把持用スリット溝を設けた糸巻用ボビンを支持するボビンホルダーを設け、該ボビンホルダー上の糸巻き用ボビンの前記スリット溝を検出する検出器とボビンの軸方向に弾性的に支持された刃状物刃状物とを配置し、該検出器の検出信号により前記刃状物およびボビンホルダーの少なくとも一方を該刃状物と前記スリット溝とを互いに対向させる位置に移動するとともに、該刃状物を前記スリット溝に押圧挿入する制御部を設けたことを特徴とするものである。
【００２３】
このようにスリット溝の位置を検出する検知器を設け、その検出信号に基づいて刃状物とスリット溝とを互いに対向する位置関係になるように構成することにより、糸巻き用ボビンの糸把持用スリット溝の拡幅処理を自動的に実施することができるようになる。
【００２４】
【発明の実施の形態】
本発明において、スリット溝の拡幅処理に使用する糸巻き用ボビンは、少なくとも表層が紙で構成された紙管からなるものである。
【００２５】
すなわち、糸巻き用ボビンは管全体が紙で構成された紙管であってもよく、あるいは表層側だけが紙層であり、内層側が金属管または樹脂管で形成されたものであってもよい。いずれの場合にも、紙層で形成された管端部表面には糸把持用のスリット溝が周方向に沿って設けられている。
【００２６】
また、紙管において前述したスリット溝の経時的な閉塞傾向を生ずるのは、紙層の厚さが３ｍｍ以上の場合において特に顕著であるので、本発明が対象とする糸巻用ボビンとしては、このように紙層の厚さが３ｍｍ以上である紙管に対して特に有効である。
【００２７】
本発明において、スリット溝の拡幅処理に使用する刃状物としては、円板状や扇状の回転刃、ナイフ状の直線刃などいずれでもよく、特に限定されるものではないが、先端部の横断面形状としてＶ字状またはそれに近い形状のものが好ましい。また、刃状物の刃先の長手方向の形状としては、スリット溝に沿って直線状または波状になっているものが好ましい。
【００２８】
スリット溝に刃状物を押圧挿入するときは、そのボビンをボビンホルダーで支持し、その内周面を保持させるようにしておくことが望ましい。このようにボビン内周面側を支持することにより、刃状物のボビン径方向の押圧力に対してボビンが変形して偏心したり、あるいはスリット溝の深さ方向に亀裂が入らないようにすることができる。
【００２９】
また、スリット溝の拡幅処理は、少なくともスリット溝の長手方向全長の２０％に対して行うようにすることが重要である。
【００３０】
より好ましくは、少なくともスリット溝の長手方向の全長の３５％に対して行うこと、最も好ましくはスリット溝の長手方向の全長にわたり行うことである。
【００３１】
また、このスリット幅の拡幅処理は、スリット溝全長の２０％以上であれば、長手方向に、実質的に連続的に行ってもよく、あるいは実質的に不連続的に行ってもよい。
【００３２】
スリット溝の拡幅処理は、深さ方向とともに長手方向に対して行われることは重要である。
【００３３】
深さ方向の拡幅処理は、刃状物の刃先をスリット溝に深さ方向に押圧挿入すればよい。この深さ方向の拡幅処理をするときには、紙管端部にスリット溝から管端に向けた剪断力が作用し、溝底にクラックが入ることがあるので、スリット溝側の管端面を押圧規制するような当て板（当接面）を設けるようにするとよい。
【００３４】
スリット溝の長手方向に対する拡幅処理は、刃状物を主としてスリット溝の深さ方向への相対移動だけで行い、ボビンの円周方向への相対移動は実質的に行わないようにすることが好ましい。刃状物をボビンに対して円周方向に相対移動させると、スリット溝の溝壁の一部が削り取られたり、表面に浮き出てバリになったりすることがあるからである。また、一般に表層の紙層は非常に硬く加工されているので、スリット溝を拡幅すると同時にボビン周方向に相対移動させると相当のトルクが必要になり、加工を難しくするからである。
【００３５】
このように刃状物を主としてボビン半径方向に相対移動するだけにして、スリット溝を長手方向に対して拡幅処理する方法としては、回転刃であれば、刃先をスリット溝に挿入した状態にして、回転刃とボビンとを同方向に同一周速度で回動させれるようにすればよい。また、ナイフ状の直線刃であれば、刃先をスリット溝の深さ方向に往復出没させながら、刃先がスリット溝から出るごとにボビンを少しずつ回動させるようにすればよい。
【００３６】
刃状物の固定方法としては、ボビンの軸方向に弾性的に支持する。
【００３７】
該弾性的に支持することによって、スリット溝内への刃状物の挿入を容易ならしめ、さらに、スリット溝内へ刃状物を挿入する際に、導入部分に傷をつけることを防ぐことができる。弾性的に支持するとは、例えば、図１で説明すると、同図において、刃状物を固定し押し当て挿入する軸を、該軸に対してボビンの長さ方向の左右両側に取り付けた金属製バネ１８で固定することによって支持するような構造である。
【００３８】
糸巻き用ボビンのスリット溝の拡幅処理は、手作業で行ってもよいが、好ましくは自動化された装置により処理すれば該処理の効率を向上することができる。
このような自動処理装置としては、糸巻き用ボビンをボビンホルダーで支持し、この支持された糸巻き用ボビンの外周外側に、スリット溝の位置を検出する検知器と刃状物とを配置するようにするとよい。また、検知器が検出したスリット溝位置の信号に基づき、刃状物とボビンホルダーとの少なくとも一方を移動させて、刃状物をスリット溝に対向した位置にしてから、スリット溝に押圧挿入する制御部を設ければ、自動拡幅処理を行うことができる。
【００３９】
スリット溝の位置を検出する検知器は、特に限定されるものではないが、好ましくは光学センサーなどのような非接触型のものがよい。この検知器は、スリット溝のボビン軸方向の位置を検出するとともに、ボビン周方向の位置を検出できるものとする。そのため、検知器はボビンに対してボビン軸方向において、相対移動が可能であるとともに、ボビン軸を中心にボビン周方向においても相対移動が可能であるように設置されるのが好ましい。より好ましくは、検知器自体をボビン軸方向に移動し、ボビン周方向には糸巻き用ボビンの方を回動させるような構成にすることが望ましい。
【００４０】
本発明による糸巻き用ボビンのスリット溝の拡幅処理工程は、この拡幅処理工程だけを独立に設けてもよい。
【００４１】
あるいは、本発明による糸巻き用ボビンのスリット溝の拡幅処理を、糸巻き用ボビンを再生して使うときに用いようとする際には、他のボビン再生用工程と組合せて行うようにしてもよい。
【００４２】
例えば、使用されて小さくなっているボビンの内径を拡大させる工程と組合せるようにすれば、使用済み糸巻き用ボビンのリサイクル使用を一層効率的にすることができる。
【００４３】
図１は、本発明による糸巻き用ボビンの処理装置の一例を示すものである。
【００４４】
図１において、１が、新品の糸巻き用ボビンあるいは使用済みの糸巻き用ボビンである。
【００４５】
この糸巻き用ボビン１は、図６に例示したような紙管から構成され、その管端部表面には、糸把持用のスリット溝２がボビン周方向に延長するように設けられている。スリット溝２の形状は、例えば、図７に示すように糸把持部２ａと、これよりも広幅の糸導入部２ｂとから形成されるものが好ましい。
【００４６】
上記構成からなる糸巻き用ボビン１は、図１に示すように、ボビンホルダー３により支持されている。ボビンホルダー３は左右一対のチャック３ａ、３ｂから構成されている。一方のチャック３ａは、軸受５に回転自在に支持された回転軸４に連結され、かつ、ベルト６を介してモータ７により回転駆動されるようになっている。また、他方のチャック３ｂは、支持軸９に軸受８を介して回転自在に支持され、かつシリンダ１０を介して軸方向に移動可能になっている。
【００４７】
これら両チャック３ａ、３ｂは、それぞれ糸巻き用ボビン１の両側から内周面を支持するように挿入され、かつ、フランジ部によって糸巻き用ボビン１の端面を規制するように支持している。このようにチャック３ａ、３ｂのフランジ部が糸巻き用ボビン１の端面（特にスリット溝２側の端面）を規制していること、さらには糸巻き用ボビン１の内周面を支持していることによって、スリット溝２に刃状物１１が挿入されたときの溝底におけるクラック発生を防止する。
【００４８】
また、糸巻用ボビン１の外周外側には、円板刃からなる刃状物１１が設置されている。この刃状物１１は、支持軸１２に回転自在に軸支され、かつシリンダ１３の作用により糸巻きボビン１の表面に刃先を押圧する位置まで往復移動できるようになっている。このような刃状物１１の刃先位置を規制するため、刃状物１１の付近には、該刃状物１１の上下の位置を調整する高さ調整用ストッパー１４が設けられており、刃先の侵入深さを調整できる。また、刃状物１１は、アクチュエータ１５の作用により糸巻き用ボビン１の軸方向に平行に往復移動できるようになっている。
【００４９】
さらに、糸巻用ボビン１の外周外側には、スリット溝２の位置を検出する検知器１６が配置されている。検知器１６には、例えば光センサーが使用され、光センサーからの放射光がボビン表面で反射して返ってくるまでの時間、あるいはボビン表面と溝との明度差などによってスリット溝２の有無を検出し、かつボビン端面（チャック３ａの当接面）からのスリット溝２のボビン軸方向距離Ｌ並びにボビン周方向の位置を検出するようにしている。
【００５０】
上記検知器１６が検出したスリット溝の位置信号は、制御部１７に入力され、この制御部１７により上記モータ７やアクチュエータ１５などの駆動部が自動制御されるようになっている。また、前述の如く、刃状物１１を金属製バネ１８を用いて弾性的に支持することができる。
【００５１】
上述した本発明の処理装置に糸巻き用ボビンの処理は、次のようにして実施される。
【００５２】
まず、糸巻き用ボビン１をボビンホルダー３に装着すると、検知器１６がボビン軸方向に移動してスリット溝２の位置を検出する。その検出信号は制御部１７に入力され、その時点における刃状物１１のボビン軸方向位置とスリット溝２のボビン周方向位置と比較され、その相対差に基づいて、制御部１７からモータ７とアクチュエータ１５とにそれぞれ駆動信号が出力される。
【００５３】
アクチュエータ１５に対する指令によって、刃状物１１をスリット溝２に対向する位置までボビン軸方向に移動させる。また、モータ７に対する指令によって、糸巻用ボビン１を刃状物１１がスリット溝２のボビン周方向の押圧開始位置に対向する位置まで回動させる。
【００５４】
上述のように糸巻き用ボビン１と刃状物１１の位置がそれぞれ設定された後、シリンダ１３を駆動して刃状物１１を下降させ、その刃先をスリット溝２内に押圧挿入する。次いで、モータ７を駆動して糸巻き用ボビン１を回動させると、刃状物１１が刃先をスリット溝２に挿入したまま、図２に示すように糸巻き用ボビン１に随伴して共回りするので、スリット溝２が長手方向に沿って拡幅処理される。
【００５５】
この拡幅処理は、スリット溝２の長手方向全長の少なくとも２０％以上を行うようにし、好ましくは少なくとも３５％以上、最も好ましくはスリット溝２の全長にわたり行うようにする。
【００５６】
このようにして実施されるスリット溝の拡幅処理は、刃状物１１の刃先が糸巻き用ボビン１と同一の周方向かつ周速度で回動しているため、刃状物１１とスリット溝２との間にはボビン周方向に実質的に相対移動が発生しておらず、そのためスリット溝２の溝壁が削り取られたり、表面に浮き上がってバリになったりするような問題が起らない。
【００５７】
このように糸巻用ボビン１のスリット溝２と刃状物１１とがボビン周方向に実質的に相対移動を起こさないようにするスリット溝の拡幅処理としては、図３に示す実施形態のように、円板刃に代えて扇状刃の刃状物１１ａを使用するようにしてもよい。この扇状刃１１ａは支持軸１２ａに回動自在に支持され、糸巻き用ボビン１の回転に随伴して共回りするようになっている。
【００５８】
また、図４に示す実施形態のように、直線状の平刃からなる刃状物１１ｂを使用することもできる。この実施形態では、刃状物１１ｂの刃先がスリット溝２に対して往復出没するようにし、その刃先がスリット溝２から外側に出る毎とに、糸巻用ボビン１を僅かな角度ずつ回動させるようにしたものである。
【００５９】
図５は、さらに他の実施形態を示すもので、スリット溝２の溝底とほぼ同一半径を有する円弧状の刃先をもつ刃状物１１ｃを使用している。この実施形態では、刃状物１１ｃの円弧状の刃先がスリット溝２の溝底に達するように押圧挿入されるだけで、一挙に拡幅処理することができる。しかも、ボビン周方向の相対移動がないから、溝壁を削り取ったり、バリを生じたりすることがない。
【００６０】
本発明で処理された糸巻き用ボビンは、ナイロン、ポリエステルなどの合成繊維製造用として有効に使用することができる。
【００６１】
特に、２０００ｍ／分以上の高速巻取用の糸巻取り用のボビンとして、新品としての使用あるいはリサイクル使用として使用することができる。
【００６２】
【実施例】
以下、実施例、比較例を用いて、本発明を具体的に説明する。
【００６３】
実施例１〜４、比較例１、２
全体が紙層によって構成された内径１２０ｍｍ、厚さ６ｍｍの紙管から形成される糸巻き用ボビンであり、管端からボビン軸方向に１０ｍｍの位置に、図７のような糸導入部と糸把持部からなるスリット溝（糸把持部における表面開口部の幅１．５ｍｍ、内側段差部の幅０．２５ｍｍ、深さ３．５ｍｍ、全長３００ｍｍ）を穿設した１６００本の糸巻き用ボビンを用意した。
【００６４】
これら糸巻き用ボビンを、２０デニール、７フィラメントのナイロン６糸条を溶融紡糸し、５０００ｍ／分で巻取る工程に使用した。巻取りにはスピンドル１本に８本の紙管を装着するようにしたスピンドル２軸を装備した自動切替式ワインダーを使用し、１個当たりのパッケージ重量が７．５ｋｇ巻（直径が３６５ｍｍ）になるごとに、自動糸切替えしながら実施した。
【００６５】
これら糸巻きパッケージを仮撚加工糸のメーカに供給して、約２カ月を経て返還された空の糸巻き用ボビンのスリット溝は、上記表面開口部の幅が０．７ｍｍ、内側段差部の幅が０．０８ｍｍまで閉塞した状態になっていた。
【００６６】
これら使用済みの紙管について、図１のボビン処理装置を使用して、それぞれ４０本ずつについて、そのスリット溝を全長の１００％（実施例１）、８３％（実施例２）、３３％（実施例３）、２０％（実施例４）、１０％（比較例１）の長さに拡幅処理した。その拡幅は、新品ボビンのスリット幅に対して９０〜１００％まで広げるようにした。
【００６７】
このように拡幅処理後の糸巻き用ボビンをリサイクル使用に提供して、上記と同じナイロン６糸条の巻取り工程において糸掛け成功率（糸切替え成功率）を調べたところ、表１に示すような結果が得られた。
【００６８】
この表１には、比較例２として、上記スリット溝の拡幅処理を何もしていない使用済み紙管４０本をリサイクル使用したときの糸掛け成功率も併記した。
【００６９】
表１から明らかなように、本発明によって拡幅処理した紙管を使用した実施例１〜３においては、ほとんど１００％の糸切替え成功率で、糸切替えが実現されることが確認できた。
【００７０】
本発明の臨界値である２０％（実施例４）でも、糸切替え成功率が４０回試みた中で３８回と高い率を示し、実際の繊維産業での操業を考えれば、この２０％付近が臨界値であろうことが確認できた。それ以下であると、本発明の効果が顕著ではなくなり、そういう処理をすることの意味が乏しくなるのである。
【００７１】
実施例５、比較例３
また、新品の糸巻き用ボビンでも、約２週間の間、温度３０℃、湿度６０％以上の条件下で放置した場合のスリット溝は、上記表面開口部の幅が０．７ｍｍ、内側段差部の幅が０．０８ｍｍまで閉塞しており、使用済みの糸巻きボビンと同様の状態になった。
【００７２】
これらの新品の閉塞した糸巻き用ボビンについても、図１のボビン処理装置を使用して、４０本についてそのスリット溝を全長の１００％（実施例５）の長さに拡幅処理した。その拡幅は、新品ボビンのスリット幅に対して９０〜１００％まで広げるようにした。
【００７３】
このように拡幅処理を施した後の糸巻き用ボビンを使用して、上記と同じナイロン６糸条の巻取り工程において糸掛け成功率（糸切替え成功率）を調べたところ、表１に示すような結果が得られた。
【００７４】
この表１には、比較例３として、上記スリット溝の拡幅処理を何もしていない新品ではあるが、スリット溝が上記のとおりに閉塞した糸巻取りボビン４０本を使用したときの糸切替え成功率も併記した。
【００７５】
表１から明らかなように、本発明によって拡幅処理した糸巻取りボビンを使用した実施例５では、ほとんど１００％の糸切替え成功率で、糸切替えが実現されていることがわかる。
【００７６】
これに対して、新品ではあるが閉塞した糸巻取りボビンを用いた場合には、４０回中、５回の失敗が発生した。
【００７７】
【表１】
0003959831.tif 000002
本発明の糸巻き用ボビンのスリット溝の処理方法と、糸の切替え成功率を向上させる糸巻き用ボビンのスリット溝の処理装置は、糸の切替え成功率を向上させることができるものであり、繊維産業において、繊維製造工程の糸条巻取り工程で利用できるものである。
【００７８】
特に、紙管から形成された糸巻き用ボビンに糸条を巻取る際に、高い切替え成功率で糸条を巻取ることを実現する。
【００７９】
本発明の方法と装置は、代表的には、次の２つの場合に使用できる。
【００８０】
第一に、いったん糸巻きが行なわれ、その糸が使用された後に、該糸巻き用ボビンを再生使用して、再度の使用（リサイクル使用）を可能にする技術として利用することができる。
【００８１】
あるいは、第二に、新品の糸巻き用ボビンを使用するに際して、該初めての使用に先立ち、該ボビンの糸の切替え成功率を向上させておくための技術として利用することができる。
【００８２】
【発明の効果】
本発明の糸巻き用ボビンのスリット溝の処理方法と、糸の切替え成功率を向上させる糸巻き用ボビンのスリット溝の処理装置は、糸の切替え成功率を向上させることができるものであり、繊維産業において、繊維製造工程の糸条巻取り工程で利用できるものである。
【００８３】
特に、紙管から形成された糸巻き用ボビンに糸条を巻取る際に、高い切替え成功率で糸条を巻取ることを実現する。
【００８４】
本発明の方法と装置は、代表的には、次の２つの場合に使用できる。
【００８５】
第一に、いったん糸巻きが行なわれ、その糸が使用された後に、該糸巻き用ボビンを再生使用して、再度の使用（リサイクル使用）を可能にする技術として利用することができる。
【００８６】
あるいは、第二に、新品の糸巻き用ボビンを使用するに際して、該初めての使用に先立ち、該ボビンの糸の切替え成功率を向上させておくための技術として利用することができる。
【図面の簡単な説明】
【図１】図１は、本発明の糸巻き用ボビンの処理装置の一例を示す概略モデル図である。
【図２】図２は、本発明により処理するときの糸巻き用ボビンと刃状物との関係を示す概略説明モデル図である。
【図３】図３は、本発明の他の実施形態からなる糸巻き用ボビンと刃状物との関係を示す概略説明モデル図である。
【図４】図４は、本発明のさらに他の実施形態からなる糸巻き用ボビンと刃状物との関係を示す概略説明モデル図である。
【図５】図５は、本発明のさらに他の実施形態からなる糸巻き用ボビンと刃状物との関係を示す概略説明モデル図である。
【図６】図６は、本発明に使用される糸巻き用ボビンの１例を示した概略斜視図である。
【図７】図７は、本発明において用いられる糸巻き用ボビンに穿設されたスリット溝をモデル的に例示したもので、（Ａ）は展開図、（Ｂ）は（Ａ）のＸ−Ｘ断面図、（Ｃ）は（Ａ）のＹ−Ｙ断面図である。
【符号の説明】
１：糸巻用ボビン
２：スリット溝
３：ボビンホルダー（チャック）
４：回転軸
５：軸受
６：ベルト
７：モータ
８：軸受
９：支持軸
１０：シリンダ
１１：刃状物
１２：支持軸１２
１３：シリンダ
１４：高さ調整用ストッパー
１５：アクチュエータ
１６：スリット溝２の位置を検出する検知器
１７：制御部
１８：金属製バネ
【図１】
0003959831.tif 000003
【図２】
0003959831.tif 000004
【図３】
0003959831.tif 000005
【図４】
0003959831.tif 000006
【図５】
0003959831.tif 000007
【図６】
0003959831.tif 000008
【図７】
0003959831.tif 000009